(57)【要約】      （修正有）【課題】ゴルフバッグ基底盤の外面に係止板取付け用のリベットが露出して基底盤の外面美観を損なう欠点をなくし、底板体の下に連結部材が露出せず、かつ簡単に取付けられるゴルフバッグ基底盤を提供する。【解決手段】このゴルフバッグ基底盤は底板体と、底板体外縁の上側に設けられた環状の直立フランジと、底板体の下側に配置された支脚とを有する。底板体にリベット用孔がなく、底板体と底板体の上方に位置するバッグ内の仕切りの係止板とは、連結部材が基底盤外面に露出しないように連結される。底板体の上側に係止板を取付けるための取付用突起が設けられ、取付用突起の先端部に捻込孔が形成されていて、ネジを係止板の取付用孔を抜けて取付用突起に捻じ込むことによって、係止板を底板体の上側に取付けることができる。ここで取付用突起の高さを捻じ込まれるネジの長さより大きいこととする。【選択図】図３
0003135394.tif 000002
【実用新案登録請求の範囲】
【請求項１】
ゴルフクラブを受ける底板体（１）と、底板体（１）の外縁の上側に設けられた環状の直立フランジ（２）と、底板体（１）の下側に配置された支脚（３）とを有するゴルフバッグ基底盤において、
前記底板体（１）とその上方に位置するバッグ内の仕切り（４）の係止板（５）とは、連結部材が基底盤の外面に露出しないように連結されることを特徴とするゴルフバッグ基底盤。
【請求項２】
係止板（５）を取付けるための取付用突起（１A）が前記底板体（１）の上側に設けられることを特徴とする請求項１に記載のゴルフバッグ基底盤。
【請求項３】
前記底板体（１）の上側に設けられた取付用突起（１A）がプラスチック材からなることを特徴とする請求項２に記載のゴルフバッグ基底盤。
【請求項４】
前記取付用突起（１A）の先端部に捻込孔が形成され、ネジ（７）を係止板５の取付用孔（５A）をぬけて取付用突起（１A）に捻じ込むことによって、係止板（５）を底板体（１）の上側に取付けることを特徴とする請求項２に記載のゴルフバッグ基底盤。
【請求項５】
前記取付用突起（１A）の高さは捻じ込まれるネジ（７）の長さより大きいことを特徴とする請求項４に記載のゴルフバッグ基底盤。
【請求項６】
前記プラスチックからなる取付用突起（１A）の上の部分は係止板（５）の取付用孔（５A）を抜けて、該上の部分のプラスチック材を熱溶融でキノコ状フランジを形成させることによって、係止板（５）を底板体（１）に取付けることを特徴とする請求項３に記載のゴルフバッグ基底盤。
【請求項７】
前記取付用突起（１A）は２つ以上設けられると共に、その下端部がそれぞれ底板体（１）に連結され一体となることを特徴とする請求項２に記載のゴルフバッグ基底盤。
【考案の詳細な説明】
【技術分野】
【０００１】
本考案はゴルフ用品に関するもので、特に各タイプのゴルフバッグに適用できるような、ゴルフバッグの基底盤に関するものである。
【従来の技術】
【０００２】
従来のゴルフバッグとして、バッグの中に、クラブをガイドするとともに、クラブ同士のぶつかり合いを緩和させるための仕切りが鉛直方向に設けられ、仕切りの下端部に、係止板が鉛直方向と垂直する方向に縫って接続されるとともに、連結部材によってバッグ基底盤の内面に固定されてクラブグリップの端部を受けるような構成が良く知られている。
【０００３】
これらバッグ基底盤では、仕切りの係止板はリベットによって基底盤の底板体に締められるのが多い。しかし、この場合、リベットの下端部は基底盤の底板体の下に露出してしまい、バッグ基底盤の外観を損なうという問題がある。
【考案の開示】
【考案が解決しようとする課題】
【０００４】
本実用新案の目的は、バッグ基底盤の外面に係止板取付け用のリベットが露出する欠点をなくし、底板体の下に連結部材が露出しないかつ簡単に取付けられるゴルフバッグ基底盤を提供することにある。
【課題を解決するための手段】
【０００５】
この問題を解決するために、本考案によるゴルフバッグ基底盤は、ゴルフクラブの重量を受ける底板体と、底板体外縁の上側に設けられた環状の直立フランジと、底板の下側に設置された支脚とを有するバッグ基底盤であって、前記底板体にはリベット用孔がなく、つまり底板体とその上方に位置するバッグ本体内の仕切りの係止板とは、連結部材が基底盤の外面に露出することなく連結されるように構成される。
【０００６】
本考案の構成によると、係止板を取り付けるための取付用突起が前記底板体の上側に設けられている。この取付用突起は例えばプラスチックからなるものでも良い。ネジを前記係止板に形成された取付用孔を抜けて、前記取付用突起に形成された捩込孔にねじ込むことによって、前記係止板を前記底板体に付着させて固定させる。前記取付用突起の高さは中にねじ込まれるネジの長さよりも大きいとする。また、前記係止板の取付用孔がプラスチックからなる取付用突起の上の部分に外嵌可能で、そして外嵌された後の取付用突起の上の部分のプラスチック材を熱溶融させてキノコ状のフランジを形成させることで、係止板を底板体の上に固定させるように取付用突起を設計しても良い。前記取付用突起は２つ以上設けられているとともに、その基部がそれぞれ底板体に連結され一体となる。
【０００７】
従来の技術に比べて、本考案によるゴルフバッグの基底盤は、連結部材の端部が基底盤の外面に露出しないため、視覚上のジャマがなく、外観の美観度が高くなる。
【考案を実施するための最良の形態】
【０００８】
以下、図面を参照しながら本考案の実施形態について説明する。
図１は従来技術によるゴルフバッグ基底盤が上下倒置された状態を示す斜視図である。バッグの基底盤の底板体１に、若干のリベット用孔６が形成され、組み立ての時、仕切りの係止板とバッグ基底盤の底板体１とはリベットによって締められるが、リベットの下端部は底板体１の下側に露出して、基底盤の外面美観を損なう場合が通常である。
【０００９】
図２は本考案によるゴルフバッグ基底盤が上下倒置された状態を示す斜視図である。該バッグ基底盤の底板体１にはリベット用孔がなく、基底盤外面にリベットなどの連結部材の露出がないため、基底盤はきれいに見える。
【実施例１】
【００１０】
本考案の実施例１にかかるゴルフバッグ基底盤は、図３に示すように、バッグ内に挿入されるクラブの重量を受ける円形の底板体１と、該底板体１の外縁部の上側に、筒状のバッグ本体の下端部に接続するための円環状の直立フランジ２とを有する。前記底板体１の下側に、円周に沿って支脚３が３つ以上設けられている。また、底板体１の上側に、係止板５を取付けるための取付用突起１Aが２つ以上配置されている。該取付用突起１Aは、その先端部に捻込孔が形成され、その下端部が底板体１に連結され一体となる。
【００１１】
実施例１のバッグ内の仕切り４及び係止板５の斜視図は図４に示す通りである。鉛直方向に沿った仕切り４の下端部は、鉛直方向に対して垂直になる横方向に配置されている係止板５に、係止板５と一体となってバッグの中に挿入できるように縫って接続されている。係止板５において、基底盤の底板体１に設けられている取付用突起１Aに対応する箇所に、ネジ７が捻じ込み可能なように、取付用孔５Aが設けられている。
【００１２】
図５は、本考案の実施例１において、係止板が基底盤内に置かれた状態を示す斜視図である。仕切り４が接続された係止板５の取付用孔５Aは、基底盤の底板体１の取付用突起１Aの位置と合致する。ネジ７を取付用孔５Aを抜けて取付用突起１Aの先端部にある捻込穴に捻じ込むことによって、係止板５を底板体１の上側に確実に固定させる。ネジ７の長さが取付用突起１Aの高さより小さいため、ネジ７の先端は底板体１の外面、つまり基底盤の下側に露出しなく、基底盤の美観を損なわない。
【実施例２】
【００１３】
本考案の実施例２にかかるゴルフバッグ基底盤は、図６に示すように、バッグ内に挿入するクラブの重量を受ける円形の底板体１を有する。該底板体１は、その外縁の上側に、筒状のバッグ本体の下端部に接続するための円環状の直立フランジ２が設けられていると共に、その下側に円周方向に沿って支脚３が３つ以上設けられている。また、底板体１の上側に、係止板５を取付けるための取付用突起１Aが２つ以上設置されている。該取付用突起１Aは、プラスチックからなり、その下端部が底板体１に連結され一体となる。
【００１４】
実施例２のバッグ内の仕切り４及び係止板５は、図７に示すとおりである。鉛直方向に沿った仕切り４の下端部は、鉛直方向に対して垂直となる横方向に配置されている係止板５に、係止板５と一体となってバッグの中に挿入できるように縫って接続されている。係止板５において、基底盤の底板体１に設けられている取付用突起１Aに対応する箇所に、取付用突起１Aの上の部分に外嵌可能な取付用孔５Aが設けられている。
【００１５】
図８は、本考案の実施例２において係止板が基底盤内に置かれた状態を示す斜視図である。仕切り４が接続された係止板５の取付用孔５Aは、基底盤の底板体１の取付用突起１Aの位置と合致する。プラスチックからなる取付用突起１Aの上の部分は取付用孔５Aを抜けて係止板５の上側に突出している。
【００１６】
図９は、本考案の実施例２において、係止板がプラスチックからなる取付用突起の上の部分のキノコ状フランジによって底板体の上に取付けられた状態を示す斜視図である。取付用突起１Aの上の部分のプラスチック材が熱溶融によって外周方向に向けて広がってフランジを形成し、係止板５はこのフランジによって底板体１の上に確実に固定される。このように、他に連結部材が要らなく、従って底板体１の下側に連結部材が露出することもないため、基底盤の外面を設計する時は、連結部材のことを気にせず、視覚上の好みに応じて任意に設計することができる。
【図面の簡単な説明】
【００１７】
【図１】従来技術によるゴルフバッグ基底盤の上下倒置状態を示す斜視図である。
【図２】本考案によるゴルフバッグ基底盤の上下倒置状態を示す斜視図である。
【図３】本考案の実施例１にかかるゴルフバッグ基底盤を示す斜視図である。
【図４】本考案の実施例１のゴルフバッグ本体内の仕切り及び係止板を示す斜視図である。
【図５】本考案の実施例１の係止板がバッグ基底盤内に置かれた状態を示す斜視図である。
【図６】本考案の実施例２にかかるゴルフバッグ基底盤を示す斜視図である。
【図７】本考案の実施例２のゴルフバッグ本体内の仕切り及び係止板を示す斜視図である。
【図８】本考案の実施例２の係止板がバッグ基底盤内に置かれた状態を示す斜視図である。
【図９】本考案の実施例２において、係止板がプラスチック製取付用突起の上の部分のキノコ状フランジによって、底板体の上に取付けられた状態を示す斜視図である。
【図１】
0003135394.tif 000003
【図２】
0003135394.tif 000004
【図３】
0003135394.tif 000005
【図４】
0003135394.tif 000006
【図５】
0003135394.tif 000007
【図６】
0003135394.tif 000008
【図７】
0003135394.tif 000009
【図８】
0003135394.tif 000010
【図９】
0003135394.tif 000011